【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
ねじ頭部にドライバビットの翼が嵌合する、頭部の表面からねじの頸部側に向けて次第に狭くなっている互いに略平行な両側壁の溝からなる十字穴を形成した十字穴付ねじにおいて、
外側の前記各溝を形成せず、前記各溝の外側端部の前記略平行な両側壁に、該両側壁に対して回転方向に突出して形成した略垂直な円筒状作動内面と、
前記両円筒状作動内面の下端部に形成した略水平な段部とにより円筒内面付回転受け部を形成したことを特徴とする十字穴付ねじ。
【請求項２】
先端に向けて次第に狭くなっている互いに略平行な両側壁の翼からなる十字翼を備え、
十字穴付ねじのねじ頭部に前記翼が嵌合する、頭部の表面からねじの頸部側に向けて次第に狭くなっている互いに略平行な両側壁の溝からなる十字穴を形成するドライバビットにおいて、
前記各翼の外側端部の前記略平行な両側面に、該両側壁に対して回転方向に突出して形成した略垂直な円筒状作動外面と、
両円筒状作動外面の下端部に形成した略水平な端部とにより円筒外面付回転作動部を形成し、
前記十字穴付ねじのねじ頭部に、前記円筒外面付回転作動部により外側の各溝を形成せ ず、前記各溝の外側端部の略平行な両側壁に、該両側壁に対して回転方向に突出して形成した略垂直な円筒状作動内面と、
前記両円筒状作動内面の下端部に形成した略水平な段部とにより円筒内面付回転受け部を形成することを特徴とするドライバビット。
【手続補正２】
【補正対象書類名】明細書
【補正対象項目名】００１３
【補正方法】変更
【補正の内容】
【００１３】
この発明による十字穴付ねじは上記課題を解決するため、ねじ頭部にドライバビットの翼が嵌合する、頭部の表面からねじの頸部側に向けて次第に狭くなっている互いに略平行な両側壁の溝からなる十字穴を形成した十字穴付ねじにおいて、
外側の前記各溝を形成せず、前記各溝の外側端部の前記略平行な両側壁に、該両側壁に対して回転方向に突出して形成した略垂直な円筒状作動内面と、  
前記両円筒状作動内面の下端部に形成した略水平な段部とにより円筒内面付回転受け部を形成したことを特徴とする。
【手続補正３】
【補正対象書類名】明細書
【補正対象項目名】００１４
【補正方法】変更
【補正の内容】
【００１４】
更に、この発明による新規な十字穴付ねじを回転駆動するための十字翼を備えたドライバビットとして、先端に向けて次第に狭くなっている互いに略平行な両側壁の翼からなる  十字翼を備え、
十字穴付ねじのねじ頭部に前記翼が嵌合する、頭部の表面からねじの頸部側に向けて次第に狭くなっている互いに略平行な両側壁の溝からなる十字穴を形成するドライバビットにおいて、
前記各翼の外側端部の前記略平行な両側面に、該両側壁に対して回転方向に突出して形成した略垂直な円筒状作動外面と、
両円筒状作動外面の下端部に形成した略水平な端部とにより円筒外面付回転作動部を形成し、
前記十字穴付ねじのねじ頭部に、前記円筒外面付回転作動部により外側の各溝を形成せず、前記各溝の外側端部の略平行な両側壁に、該両側壁に対して回転方向に突出して形成した略垂直な円筒状作動内面と、 前記両円筒状作動内面の下端部に形成した略水平な段部とにより円筒内面付回転受け部を形成することを特徴とする。
【手続補正４】
【補正対象書類名】明細書
【補正対象項目名】００１６
【補正方法】変更
【補正の内容】
【００１６】
ドライバビットによるねじの回転駆動時に、十字穴の溝に過大な力が作用して溝が変形或いは破損することを防止するという目的を、ねじ頭部にドライバビットの翼が嵌合する溝からなる十字穴を形成した十字穴付ねじにおいて、前記各溝に形成した円筒状作動内面と、前記円筒状作動内面の下端部に形成した段部とにより円筒内面付回転受け部を形成することにより実現し、また、このような形状の十字穴を備えた十字穴付ねじを回転駆動するに際して、十字翼各翼に対向して形成した円筒状作動外面と、前記円筒状作動外面の下端部に形成した端部とにより円筒外面付回転作動部を形成したドライバビットにより回転駆動することにより実現する。
【手続補正５】
【補正対象書類名】明細書
【補正対象項目名】００１７
【補正方法】変更
【補正の内容】
【００１７】
この発明の参考例を図１及び図２に沿って説明する。図１及び図２には前記従来例の図５及び図６と対応するように各断面図及び平面図を示しており、同実施例においては図１（ａ）の側面図に示すように、基本的には前記図１の従来例と同様に、先端に十字翼２を備えたドライバビット１を用いており、このドライバビット１により同図（ｂ）の要部断面図、及び同図（ｃ）の頭部平面図に示すような、十字穴４を備えた十字穴付ねじ３を回転駆動する例を示している。このような十字穴付ねじ３における十字穴４部分の形状も、その基本的形状は前記従来例と同様に、頭部５の表面６からねじの頸部７側に向けて角度αで次第に狭くなっており、十字穴下端部８より下方は底部１０を形成していることも従来のものと同様である。
【手続補正６】
【補正対象書類名】明細書
【補正対象項目名】００１８
【補正方法】変更
【補正の内容】
【００１８】
図１及び図２に示す参考例においては、上記のように十字翼２を備えたドライバビット１と、頭部に十字穴４を備えた十字穴付ねじ３において、十字穴４には各溝１５の略中間部に水平段部１６を備え、各溝の両側壁面１７、１７には略垂直な円筒状内面を備えた円筒状作動内面１８、１８を対向して形成している。なお、十字穴４の各溝１５の側壁面１７は、正確には垂直ではなく頭部５の表面６に近づくほど、例えば５度程度の抜き勾配により幾分広がった形状に設定されており、図１にもそのような十字穴を形成したねじを示している。したがって、図中の前記円筒状作動内面１８、１８も、同様の抜き勾配でねじの頭部表面に近づくほど広がるように設定している。
【手続補正７】
【補正対象書類名】明細書
【補正対象項目名】００２７
【補正方法】変更
【補正の内容】
【００２７】
図３及び図４にはこの発明の実施例を示している。この実施例においては、前記図１及び図２に示した十字穴付ねじよりも小さいねじに対して有効に利用することができる例を示している。即ち、図３（ｂ）及び（ｃ）と前記実施例の図１（ｂ）及び（ｃ）と比較することにより明らかなように、図１に示した実施例においては十字穴付ねじ３の各溝に形成した円筒内面付回転受け部２３を、各溝の略中間部に形成したのに対して、図３に示した実施例においては、図１の実施例における円筒内面付回転受け部２３の外側の十字溝を形成せず、即ち各溝の外端部に円筒内面付回転受け部２３を形成した例を示している。
【手続補正８】
【補正対象書類名】明細書
【補正対象項目名】００２８
【補正方法】変更
【補正の内容】
【００２８】
このように構成することによっても、前記図１及び図２に示した参考例と同様に作用し、同様の効果を奏することができる。特に十字穴付ねじが小型で、充分な十字穴の大きさを確保できない場合にでも、このような円筒内面付回転受け部２３を形成することにより、確実にねじを回転駆動することができるようになる。また、前記参考例のように十字穴の各溝にドライバビットの各翼が嵌合してねじを回転駆動するとき、各翼の稜線部が溝の内壁面に接する恐れが無くなり、確実に円筒外面付回転作動部２２の円筒状作動外面２０が円筒内面付回転受け部２３の円筒状作動内面１８に当接して面接触状態の回転駆動を行うことができ、その作動が安定する。したがって、図３及び図４に示したような小型のねじに限らず、図１及び図２に示したような比較的大きいねじに対して適用しても良い。
【手続補正９】
【補正対象書類名】明細書
【補正対象項目名】００３０
【補正方法】変更
【補正の内容】
【００３０】
【図１】この発明の参考例を示す図であり、（ａ）は同参考例による十字穴付ねじを回転駆動するドライバビットの側面図、（ｂ）は十字穴付ねじの要部断面図、（ｃ）は十字穴付ねじの頭部側平面図である。
【図２】この発明の参考例の作用を示す図であり、（ａ）は十字穴付ねじにドライバビットを挿入した状態を示す図であり、（ｂ）は（ａ）のＡ−Ａ部分の断面図であり、（ｃ）は（ｂ）の状態からドライバビットにより十字穴付ねじを締め付ける方向に回転駆動する状態を示す図である。
【図３】この発明の実施例を示す図であり、（ａ）は同実施例による十字穴付ねじを回転駆動するドライバビットの側面図、（ｂ）は十字穴付ねじの要部断面図、（ｃ）は十字穴付ねじの頭部側平面図である。
【図４】この発明の実施例の作用を示す図であり、（ａ）は十字穴付ねじにドライバビットを挿入した状態を示す図であり、（ｂ）は（ａ）のＢ−Ｂ部分の断面図であり、（ｃ）は（ｂ）の状態からドライバビットにより十字穴付ねじを締め付ける方向に回転駆動する状態を示す図である。
【図５】従来例を示す図であり、（ａ）はその十字穴付ねじを回転駆動するドライバビットの側面図、（ｂ）は十字穴付ねじの要部断面図、（ｃ）は十字穴付ねじの頭部側平面図である。
【図６】従来例の作用を示す図であり、（ａ）は十字穴付ねじにドライバビットを挿入した状態を示す図であり、（ｂ）は（ａ）のＣ−Ｃ部分の断面図であり、（ｃ）は（ｂ）の状態からドライバビットにより十字穴付ねじを締め付ける方向に回転駆動する状態を示す図である。